(57)【要約】  本発明は、可撓性のシャッターを開位置と閉位置の間で変位させることのできる駆動手段と協働し、出窓又は他の開口部を閉じるように設計されている可撓性シャッター装置に関する。本装置は、軸の周りに回転するドラムを備えており、開位置では可撓性のシャッターがその周りに巻き取られ、互いに貼り付いている連続する層からできた巻きを備えているロールを形成し、そこから可撓性シャッターを巻き戻して、閉位置に押すことができるようになっている。固定支持部に取り付けられているスライドは、可撓性シャッターの巻き取られていない部分を、出窓に沿って案内する。圧力又は制限要素（３３、５０、６６）は、ロールに最も近いスライド（４、５）の第１端部（３０）とロールの間を延びる支持部部分で側縁部（２、３）が座屈するのを防ぐ。【選択図】図６
2010518284.tif 000002
【特許請求の範囲】
【請求項１】
窓又はドア開口部（６）、或いはどの様な型式の開口部でも閉じることを意図している可撓性シャッター装置であって、
側縁部（２、３）を備えているシャッター（１）と、
前記シャッター（１）を開位置と閉位置の間で動かすための駆動手段であって、前記駆動手段は、スピンドル（１１）の周りに回転させることのできるドラム（８）を備えており、開位置では前記ドラムの周りに前記シャッター（１）が巻き取られて、連続する層が互いに貼り付くことにより形成される巻きで構成されるロールを形成し、そこから前記シャッター（１）を巻き戻して、その閉位置に向けて押すことができる、駆動手段と、
前記シャッター（１）の巻き取られていない部分の前記側縁部（２、３）を、前記開口部（６）に沿って案内するための、固定支持部に取り付けられているランナ（４、５）と、を備えている可撓性シャッター装置において、
前記装置は、前記ドラム（８）に対して凹の曲率を有し、前記側縁部（２、３）が、前記ロールに最も近い前記ランナ（４、５）の第１端部（３０）と前記ロールの間を延びるそれらの非保持部分で座屈するのを防ぐ圧力要素（３３）を備えており、前記側縁部（２、３）は、実質的に非圧縮性であることを特徴とする、装置。
【請求項２】
前記シャッター（１）の前記側縁部（２、３）は、前記シャッター（１）の面に対して突き出ているリム（４６）を有していることを特徴とする、請求項１に記載の装置。
【請求項３】
前記圧力要素（３３）は、前記シャッター（１）の、前記ロールに最も近い前記ランナ（４、５）の第１端部（３０）と前記ロールの間を延びる前記シャッター（１）の非保持部分の、前記側縁部（２、３）に推力を加えるので、前記シャッター（１）の前記非保持部分の前記側縁部（２、３）を前記圧力要素（３３）に継続的に押し付ける半径方向推力の合力が得られることを特徴とする、請求項に１又は２に記載の装置。
【請求項４】
前記ランナ（４、５）は、実質的に真っ直ぐであり、前記圧力要素（３３）の直ぐ下のその頂部に、前記ランナ（４、５）の前記上端部（３０）を前記ドラム（８）から離す方向に動かす、前記ランナ（４、５）の面に対する傾斜部を有していることを特徴とする、請求項１乃至３の何れかに記載の装置。
【請求項５】
前記圧力要素は、可撓性ガイド（３３）を備えていることを特徴とする、請求項１乃至４の何れかに記載の装置。
【請求項６】
前記ランナは、Ｕ字型の断面を有しており、その中央部分（４０）は、前記開口部（６）の構造に対して立っており、前記Ｕ字型の２つのアーム（４２、４４）は、それぞれ、前記シャッター（１）の面に平行な面内に配置されており、前記圧力要素（３３）は、各ランナ（４、５）の後方アーム（４２）の、前記ロールに向かう拡張部によって形成されていることを特徴とする、請求項１乃至５の何れかに記載の装置。
【請求項７】
窓又はドア開口部（６）、或いはどの様な型式の開口部でも閉じることを意図している可撓性シャッター装置であって、
側縁部（２、３）を備えているシャッター（１）と、
前記シャッター（１）を開位置と閉位置の間で動かすための駆動手段であって、前記駆動手段は、スピンドル（１１）の周りに回転させることのできるドラム（８）を備えており、開位置では前記ドラムの周りに前記シャッター（１）が巻き取られて、ロールを形成し、そこから前記シャッター（１）を巻き戻して、その閉位置に向けて押すことができるようになっている、駆動手段と、
前記シャッター（１）の巻き取られていない部分の前記側縁部（２、３）を、前記開口部（６）に沿って案内するための、固定支持部に取り付けられているランナ（４、５）と、を備えている可撓性シャッター装置において、
前記ランナは、Ｕ字型の断面を有しており、その中央部分（４０）は、前記開口部（６）の構造に対して立っており、前記Ｕ字型の２つのアーム（４２、４４）は、それぞれ、前記シャッター（１）の面に平行な面内に配置されており、拘束要素（５０、６６）は、各ランナ（４、５）の後方アーム（４２）の、前記ロールに向かう拡張部によって形成されており、前記側縁部（２、３）は実質的に非圧縮性であることを特徴とする、装置。
【請求項８】
前記ランナは、Ｕ字型の断面を有しており、その中央部分（４０）は、前記開口部（６）の構造に対して立っており、前記Ｕ字型の２つのアーム（４２、４４）は、それぞれ、前記シャッター（１）の面に平行な面内に配置されており、前記拘束要素は、前記ロールに向けて各ランナの前記前方アーム（４４）と一直線に延びる実質的に真っ直ぐなロッド（６６）を備えていることを特徴とする、請求項７に記載の装置。
【請求項９】
前記ロッド（６６）は、前記ロールの最後に巻き取られた巻きと、まだ巻き取られていない前記シャッター（１）の部分の間を、前記側縁部（２、３）に近接して延びていることを特徴とする、請求項８に記載の装置。
【請求項１０】
前記拘束要素は、戻し要素のおかげでピボットスピンドル（５２）の周りを動くことのできる剛性のある当接構造（５０）を備えているので、圧力を、前記ロールの前記最後に巻き取られた巻きの前記側縁部（２、３）に加えることを特徴とする、請求項７に記載の装置。
【請求項１１】
前記支持構造（５０）は、前記ドラム（８）に対して凹の曲率を有する表面（５４）を備えていることを特徴とする、請求項１０に記載の装置。
【請求項１２】
前記拘束要素（６６、５０）は、戻しシステム（５６、５８、６２、６４）のおかげで、前記ドラム（８）の周りに巻き取られた最後の巻きと接触するように保たれていることを特徴とする、請求項７乃至１１の何れかに記載の装置。
【発明の詳細な説明】
【技術分野】
【０００１】
本発明は、窓又はドア開口部、或いはどの様な型式の開口部でも閉じることを意図している可撓性のシャッター装置に関しており、同シャッター装置は、可撓性のシャッターを開位置と閉位置の間で動かすための駆動手段を備えており、駆動手段は、軸の周りに回転させることのできるドラムを備えており、可撓性のシャッターは、開位置では、ドラムの周りに巻き取られ、連続する巻きが互いに貼り付いて構成されたロールを形成し、その状態から可撓性のシャッターを巻き戻し、閉位置に向けて押すことができるようになっている。本装置は、更に、巻き取られていないシャッターの側縁部の部分を開口部に沿って案内するための、固定支持部に取り付けられたランナを備えており、可撓性のシャッターは、シャッターの側縁部の面に対して突き出ていて、実質的に連続しており、ランナ内で動く、実質的に非圧縮性の側縁部を備えている。本発明による装置は、例えば、建物、又はトラックに、或いは水泳プール又はボートのカバーとして用いることができる。
【背景技術】
【０００２】
開口部を閉じることを意図している装置で、開位置では可撓性のシャッターが周りに巻き取られるドラムを備えている装置は、良く知られている。その様な装置では、シャッターは、ドラムをその軸周りに回すことによりが巻き戻されるので、シャッターは下りてきて開口部を閉じるが、その際、シャッターの側縁部は、互いに平行に延びる２つのガイドトラック又はランナ内を案内される。ドラムが回転すると、推力が、シャッターの側縁部に、互いに貼り付いている巻きによって、その長手方向に加えられ、シャッターの側縁部が押されてランナ内で動くことになる。
【０００３】
これらの装置は、幾つかの欠点を有している。ドラムの周りに形成されるロールの直径はシャッターの位置に従って変わるので、ドラムに近いランナの上端部とロールの間に自由空間が形成される。それ故、シャッターの側縁部の部分は、ランナによって保持されない。シャッターが可撓性であれば、このシャッターの保持されていない部分は、容易に変形して折れるので、すぐに制御できなくなる。
【０００４】
シャッターを閉じる間に、ランナ内でシャッターの側縁部が進行する速度は落ちる（風圧による摩擦は１６０ｋｍ／ｈにもなる）。この摩擦は、ドラムの回転によってシャッターの側縁部に加えられる推力と逆に働く。この場合、ドラムが回り続けると、シャッターは巻き戻され続ける。ロールとランナの上端部の間の自由空間では、側縁部は保持されておらず、そこに推力が働けば、折れて座屈する恐れがある。その様な折れが形成されると、ランナ内でシャッターが滑動できなくなる。形成された折れを吸収するためには、モーターを停止させ、シャッターを再度巻き上げなければならない。加えて、その様な折れは、シャッターの側縁部を損傷することにもなる。
【発明の概要】
【発明が解決しようとする課題】
【０００５】
本発明の１つの目的は、シャッターの側縁部が座屈しない、即ち、巻き戻す間にロールとランナの上端部の間に折れを形成しないことを保障しながら、制御された方式で閉じられるシャッター装置を提供することにより、これらの欠点を改善することである。
【課題を解決するための手段】
【０００６】
このため、本発明による装置は、側縁部２、３がその保持されていない部分で座屈するのを防ぐための拘束要素を備えていることを特徴とする。
第１の実施形態によれば、拘束要素は、推力をシャッターの側縁部の、ランナの第１端部とロールの間に延びるシャッターの非保持部分に加えるための圧力要素を備えているので、可撓性のシャッターの側縁部の非保持部分を圧力要素に連続して押し付ける半径方向推力の合力を得ることができる。
【０００７】
この様に、巻き戻す間に、シャッターの過剰な部分が、ランナの上端部（ドラムに最も近い）とロールの間に生じる。圧力要素は、シャッターの側縁部の非保持部分が当接状態に留まることを保証し、この様にして、ドラム上に形成されるロールと、ドラムに最も近いランナの端部との間に折れが形成されるのが防止される。
【０００８】
本発明の別の特定の実施形態によれば、拘束手段は、ランナの前方アームと一直線に延びているロッドを備えている。
好適にも、本発明は、従属請求項に記載されている通りである。
【図面の簡単な説明】
【０００９】
【図１】閉位置にある可撓性シャッター装置の概略正面図を示している。
【図２】図１の可撓性シャッター装置の側面図を示している。
【図３】先行技術によるシャッター装置で、可撓性シャッターが巻き戻されている時の側面図である。
【図４】図３の可撓性シャッター装置が閉位置にあるときの側断面を示している。
【図５】図３の装置（先行技術）内のランナの概略側断面を示している。
【図６】本発明の１つの実施形態による、開位置にある可撓性シャッター装置の側断面を示している。
【図７】図６の装置の、可撓性シャッターが巻き戻されているときの側断面を示している。
【図８】図６の装置の、閉位置にあるときの側断面を示している。
【図９】本発明によるランナの頂部の概略側断面を示している。
【図１０】図９のＸ−Ｘ線に沿う断面を示している。
【図１１】図９のＸＩ−ＸＩ線に沿う断面を示している。
【図１２】可撓性シャッターの側縁部が中で滑動する、本発明による装置のランナの頂部の概略側断面を示している。
【図１３】図１２のＸＩＩＩ−ＸＩＩＩ線に沿う断面を示している。
【図１４】図１２のＸＩＶ−ＸＩＶ線に沿う断面を示している。
【図１５】本発明の別の実施形態による装置の閉位置にある頂部の側面図を示している。
【図１６】図１５と同様の図を示しており、装置は開位置にある。
【図１７】図１５及び図１６と同様の、２つの変形実施形態の図である。
【図１８】図１５及び図１６と同様の、２つの変形実施形態の図である。
【図１９】図１５及び図１６と同様の、２つの変形実施形態の図である。
【図２０】図１５及び図１６と同様の、２つの変形実施形態の図である。
【図２１】図１５及び図１６と同様の、別の実施形態の図である。
【図２２】図１５及び図１６と同様の、別の実施形態の図である。
【図２３】図２２のＸＸＩＩＩ−ＸＸＩＩＩ線に沿う断面を示している。
【発明を実施するための形態】
【００１０】
本発明の上記態様、並びにこの他の態様は、本発明の具体的な実施形態の詳細な説明で明らかになると思われ、以下図面を参照してゆく。
各図の縮尺は同じではない。全体として、図面では、同様の要素には同様の参照番号が付されている。
【００１１】
当業者には明らかなように、本発明は、上で具体的に開示し、説明したものに限定されない。本発明は、呈示する全ての新しい特徴及びこれらの特徴のそれぞれの組み合わせの中に存在する。各請求項内の参照番号は、それらの保護の範囲を制限するものではない。「備える、有する、又は含む」という動詞及びそれらの活用形を使用する場合、各請求項に列挙されている要素以外の要素の存在を排除するものではない。要素の前に１つを示す冠詞を使用していても、複数のその様な要素の存在を排除するものではない。
【００１２】
一般的に言って、本発明は、ドラムの様な駆動手段と協働する可撓性シャッター装置に関しており、ドラムのスピンドルは、電気モーターのシャフトに接続されている。可撓性シャッターは、閉位置と開位置の間を動き、具体的には、ドア、或いは廊下の様な通路の開口部を閉じるためのものである。
【００１３】
「可撓性（の）シャッター」という用語は、本発明の文脈では、帆布、連結式羽根板、金属シートなど、あらゆる可撓性の平坦な要素であって、その側方端部に実質的に非圧縮性の縁部が設けられている要素を意味するものと理解されたい。ドラムの周りに巻き取ることのできるシャッターで、ドラムの軸がシャッターが開くときのシャッターの運動方向に垂直なシャッターも、当てはまる。
【００１４】
但し、特別に好適なのは、例えば、帆布によって形成されている可撓性のシャッターであると理解頂きたい。従って、添付図面は、特定的にその様な帆布を取り上げている。
図１と図２では、閉位置にあるシャッター装置を概略的に示している。この装置は、可撓性シャッター１を備えており、側縁部２及び３は、シャッター１の面に対して突き出ている。側縁部２及び３は、垂直なランナ４及び５内を動く、連続する突起物４６（図１３と図１４に詳細に図示）又は連続する小さな歯によって好都合に形成されている。ランナ４及び５は、壁７の中に在る開口部６の各側辺に設けられている。
【００１５】
開口部６の上方にドラム８が設けられており、そこに、可撓性シャッター１が巻き取られている。ドラム８の内側には、ドラム８をそのスピンドル１１の周りに駆動する電気モーター９が配置されている。これにより、シャッター１を開位置にするためにドラム８に巻き取り、或いは、シャッター１を閉位置に向けて巻き戻すことができるようになる。シャッター１を閉位置に向けて動かす間、その側縁部２及び３は、ランナ４及び５によって案内される。
【００１６】
シャッター１の中間に、透明な窓１０を設けることもできる。
シャッター１は、開くときに、ドラム８の周りに巻き取られ、シャッター１の連続して重ねられた層によって形成された巻きで構成されるロールを形成する。
【００１７】
シャッター１がドラム８の周りに巻き取られると、シャッター１の連続する巻きは、互いに貼り付いた状態になる。シャッターの側縁部３、４には、小さな歯が設けられており、これらが、シャッター１の連続する層が互いに対して滑動するのを防ぐ。
【００１８】
図３、図４、及び図５は、先行技術によるシャッター装置を示している。
シャッター１は、ドラム８をその軸の周りに回転させることによって巻き戻されるので、シャッター１は、下りてきて開口部６を閉じるが、その間に、シャッターの側縁部２及び３は、互いに平行に延びる２つの直線ランナ４、５内を案内される。ドラム８の回転により、推力が、シャッター１の側縁部２、３に、その長手方向に加えられる。
【００１９】
ランナ４、５は、それぞれＵ字型の断面を有しており、その中央部分４０は、開口部６の構造に対して立っており、ランナ８のＵ字型の開口部は、他方のランナ５の開口部に向けられている。
【００２０】
Ｕ字型のランナ４及び５は、それぞれ後側で壁７に向かって延びるアーム４２と、前側でドラム８に向かって延びる他方のアーム４４とを備えている（図１１及び図１４）。
ドラム８の周りに形成されるロールの直径はシャッター１の位置により変わるので、ロールと、ドラム８に最も近いランナ４、５の上端部の間に、シャッター１が側縁部２及び３によってランナ４、５内に保持されず、ドラム８の周りに巻き取られてもいない、空間が、存在する。シャッター１は可撓性であるために、変形及び折れの可能性があるシャッター１のこの保持されていない部分は、直ぐに制御できなくなることもある。
【００２１】
ドラム８は、実質的に水平な軸に沿って方向付けされているばね２０のおかげで、壁７の構造に当接した状態に維持される。
図３と図５は、開口部６を閉じるときに、ランナ４、５に沿うシャッター１の下降が、障害物、或いは、風の力による摩擦によって阻止される場合を示している。ドラム８が、更に駆動されて回転すると、シャッター１は巻き戻され続けて、ロールとランナ４、５の上端部３０の間に過剰なシャッター１が生じる。過剰なシャッター１の一部分は、特に、巻きを順に保持するための取付歯が在るので、ドラム８に巻き取られた状態に留まり、残りの過剰部分は、シャッター１の保持されていない部分、即ち、ロール８とランナ４、５の上端部３０の間の空間で、折れ１５を形成する。ドラム８が回り続ければ、折れ１５のループが大きくなる。シャッター１は、ランナ４、５からのまさに出口で、その非保持部分で折れるが、この折れは、シャッターが再びランナ４、５に入るのを妨げる。形成された折れ１５を吸収するには、モーター８を停止させ、シャッター１を再び巻き取る必要がある。
【００２２】
図６から図１２は、本発明の第１の実施形態による可撓性シャッター装置を示している。
この本発明の第１の実施形態では、ランナ４、５は、実質的に真っ直ぐであり、その高さの大部分に亘って垂直である。ランナ４、５の頂部は、同じランナ４、５によって形成される面に対して、壁７に向けて傾斜している。
【００２３】
ランナは、ランナの頂部の直ぐ下の部分に、ランナを垂直面に戻すことができる凸形突出部３４を有している。
更に、ランナ４、５の後方アーム４２は、湾曲した可撓性ガイド３３によって上向きに延びている。湾曲３３と３４の組みは、平たい「Ｓ」字を形成している。
【００２４】
図９から図１４は、このガイド３３を、更に詳しく示している。図示の例で、ガイド３３は、平たいＵ字型の外形を有している。この形状は、シャッターの側縁部の特定の形状に合わせて作られており、図示の例では、シャッターは突起リム４６を有している（図１３と図１４に図示）。
【００２５】
ガイド３３は、シャッター１が巻き取られるときに、まだ巻き取られていないシャッター１の部分の表面がドラム８の周りに既に巻きを形成しているシャッター１の部分と接触する点で、（図１２の矢印で示す）推力を加える圧力要素を構成している。ガイド３３は、巻きを互いに隣接して保つ。取付歯を備えているシャッターの場合、ガイド３３は、シャッターがドラム８の周りに巻き取られるときに、シャッターの連続する巻きを互いに固定するために、これらの取付歯に圧力を加える。
【００２６】
ガイド３３は、当接要素１８を介して壁７に当接している。当接要素１８は、シャッター１が巻き取られるときに、まだ巻き取られていないシャッター１の部分の表面が、既にドラム８の周りに巻きを形成しているシャッター１の部分と接触する点に設けられている（図６から図８）。
【００２７】
本発明によれば、圧力要素３３は、ランナ４、５の上端部３０とロールの間に延びるシャッター１の非保持部で、推力をシャッター１の側縁部２、３に加えるので、シャッターの側縁部の非保持部分を継続的に圧力要素３３に押し付ける半径方向推力の合力を得ることができる。
【００２８】
従って、端部３０は、ランナ４、５からの出口でシャッター１を案内して、シャッター１の非保持部分に曲率３３を形成する。非保持部分のシャッター１の曲率３３は、ドラム８に対して凹である（図１２）。
【００２９】
図示の様式によれば、ランナは、曲率３３とは逆の曲率３４を有しているので、ランナ４、５の真っ直ぐな面をその下部で回復することができる。
曲率３３がこの様に連続しているおかげで、シャッター１が巻き戻されるときにランナ４、５内の摩擦事象で非保持部分に形成される過剰なシャッター１は、シャッター１のその非保持部分の曲率３３によって「吸収される」。これは、可撓性シャッターの湾曲に打ち勝つことが非常に難しい場合に、座屈及び折れの形成（図３の場合と同様）が、シャッターの縁部の非保持部分で防止されるからである。これを、図１２に示している。
【００３０】
好適なことに、開位置では、ランナ４、５の上端部３０は、ドラム８に巻き取られたシャッターの最後の巻きに近接している。
閉位置では、ランナの上端部３０と、巻き取られた最後の巻きの間に空間が現れる。この空間では、シャッターの側縁部２、３は保持されていない。
【００３１】
図１５から図２３は、４つの変形実施形態を示している。これらの変形実施形態では、ドラム８は、実質的に水平な軸に沿って動くことができず、固定的に保持されている。
図１５から図２０に示す変形実施形態では、装置は、装置の開閉状態がどうであっても、即ち、ロールの嵩に関係なく、ガイド３３を、ドラム８に巻き取られた最後の巻きと永久に接触する状態に保つ、可動当接構造５０を備えている。これらの実施形態では、ガイド３３は、主に、摩擦を制限する滑動効果に寄与する。しかしながら、本発明の範囲から逸脱すること無く、このガイドを省き、ロールの最後の巻きと直接接触する当接構造５０を作ることもできる。
【００３２】
可動当接構造５０は、様々な形態を取ることができる。図１５から図２０の場合、それは、実質的に三角形の要素であり、ピボットスピンドル５２の周りに軸回転し、ドラムに向けて回転するその面５４は、ドラム８に対して凹の曲率を有している。
【００３３】
巻きの座屈と相互分離を防ぐために、当接システムを可動にし、それを永久的に当接するように保つことができるようにする、様々な戻しシステムを考えることができる。具体的には、図１５から図２０に示している様に、ばね５６と、可能性としては戻しプーリ５８とを備えているシステムが、戻しシステムとして機能する。
【００３４】
図２１から図２３では、拘束要素は、各ランナ４、５の前方アーム４４と一直線に上向きに延びる実質的に真っ直ぐなロッド６６で構成されている。このロッド６６は、ロールに巻き取られた最後の巻きと、まだ巻き取られていないシャッター１の部分の間に、側縁部２、３に近接して、リム４６のすぐ前に延びているのが望ましい（図２３）。
【００３５】
図示の例では、各ランナ４、５の後方アームも、実質的に真っ直ぐなガイド６０によって上向きに延びている。補強用のＵ字型６８を、ガイド６０及びロッド６６の周りに設けることもできる。ばね６２と戻しプーリ６４を備えている戻しシステムは、ガイド６０をロールに当接した状態に保つする。
【００３６】
ロッド６６は、ロールとガイド６０の間の接点に対応する高さまで延ばすことができる。
この最後の実施形態では、半径方向の推力は無く、従って、戻しシステムは、以前の実施形態ほど強力ではない。そのため、ロッド６０と巻きの間の摩擦は減るので好都合である。
【００３７】
力を掛けずにシャッターが巻き取られたり、巻き戻されるときは、ロッド６６は、シャッターと接触せず、僅かな空間が、ロッドと、ロッドの各側のシャッターの間に維持される。障害物がシャッターを閉じるのを邪魔するか、又は特定の圧力が摩擦を増大させた場合、側縁部に近いシャッターは、ロッドに当たる。そのとき、ロッドは、シャッターが座屈するのを防ぐ。
【００３８】
以上、本発明について、本発明を図解する特定の実施形態に関して説明してきたが、それらは本発明を限定するものではない。
具体的には、装置を、シャッターが垂直面内を（閉鎖中に）上から下へ動く或る位置について説明してきた。
【００３９】
本来、シャッターとドラムの位置は、限定されない。同じ装置を他の位置で使用することもでき、具体的には、シャッターは垂直だが、横方向に開いてもよい。同様に、本発明による装置は、水平の位置で、例えば、ボート又は水泳プールを覆うために、使用することもできる。
【００４０】
ランナの上端部は、ドラムに最も近い端部であるが、図面に関する開示を分かり易くするために、本明細書では上端部と称しているものと理解頂きたい。
更に、本発明による装置は、ドア又は窓開口部、或いはどの様な型式の開口部でも、可撓性シャッターに安定性を施すこと無く、閉じることができる利点を有している。
【符号の説明】
【００４１】
１  シャッター
２、３  側縁部
４、５  ランナ、スライド
６  窓又はドア開口部
８  ドラム
１１  ドラムのスピンドル
３０  ランナの第１端部
３３、５０、６６  圧力又は制限要素
４０  ランナのＵ字型の断面の中央部分
４２  ランナのＵ字型の後方アーム
４４  ランナのＵ字型の前方アーム
４６  シャッター側縁部のリム
５０  当接構造、支持構造、拘束要素
５６、５８、６２、６４  戻しシステム
６６  拘束要素
【図１−２】
2010518284.tif 000003
【図３】
2010518284.tif 000004
【図４】
2010518284.tif 000005
【図５】
2010518284.tif 000006
【図６】
2010518284.tif 000007
【図７】
2010518284.tif 000008
【図８】
2010518284.tif 000009
【図９−１１】
2010518284.tif 000010
【図１２−１４】
2010518284.tif 000011
【図１５】
2010518284.tif 000012
【図１６】
2010518284.tif 000013
【図１７】
2010518284.tif 000014
【図１８】
2010518284.tif 000015
【図１９】
2010518284.tif 000016
【図２０】
2010518284.tif 000017
【図２１】
2010518284.tif 000018
【図２２】
2010518284.tif 000019
【図２３】
2010518284.tif 000020
【国際調査報告】
2010518284.tif 000021
2010518284.tif 000022
2010518284.tif 000023
2010518284.tif 000024